(57)【特許請求の範囲】
【請求項１】
ゴルフクラブヘッドをアドレスしたときに所定のロフト角度をもって傾斜したインパクト面を含むフロントフェースと、このフロントフェースの下縁から後方に延びるとともにヒール部からトウ部に延びたソール部と、フロントフェース上縁から後方に延びたトップ部と、ソール部後縁から上方向に延びたバックフェースと、このバックフェースの中央部に設けられたキャビティと、このキャビティの周囲に設けられたリブとを備えたゴルフクラブヘッドを有するアイアンゴルフクラブのセットにおいて、
トップ部頂面から後方にフロントフェースとは逆方向に傾斜し垂直線に対するこの傾斜面が傾斜角度θを形成し、この傾斜面下部にトップ部下部のリブに付加された追加リブを形成したゴルフクラブヘッドを有し、
前記傾斜角度θをロフト角度大の番手が大きいショートアイアンクラブ側からロングアイアンクラブの方向に向かって０．３°〜１．８°順次増大するようにしたことを特徴とするアイアンゴルフクラブセット。
【請求項２】
前記傾斜角度θを５番アイアンで１４．２°、６番アイアンで１２．９°、７番アイアンで１１．８°、８番アイアンで１０．９°、９番アイアンで１０．６°を基準とし、５番〜７番で±０．５°、８番及び９番で±０．３°の範囲内で設計されたことを特徴とする請求項１に記載のアイアンゴルフクラブセット。
【請求項３】
前記トップ部頂面の頂面幅を４〜６ｍｍとしたことを特徴とする請求項１又は２に記載のアイアンゴルフクラブセット。
【発明の詳細な説明】
【０００１】
【発明の属する技術分野】
この発明は、アイアンゴルフクラブセットであって、このゴルフクラブヘッドをアドレスしたときに所定のロフト角度をもって傾斜したインパクト面を含むフロントフェースと、このフロントフェースの下縁から後方に延びるとともにヒール部からトウ部に延びたソール部と、フロントフェースの上縁から後方に延びたトップ部と、ソール部後縁から上方向に延びたバックフェースと、このバックフェースの中央部に設けられたキャビティと、このキャビティの周囲に設けられたリブとを備えたゴルフクラブヘッドを有するアイアンゴルフクラブのセットに関する。
【０００２】
【従来の技術】
アイアン系ゴルフクラブヘッドについては、最近はヘッド周辺に重量配分してスイートエリアを拡大したキャビティバックタイプのものが主流となりつつある。すなわち、ヘッドのバックフェースの中央部分の肉厚を薄くし、周りを重くし（キャビティ周辺にリブを設けて）、重心位置を通るソール部と平行な軸（ｘ軸）まわりの慣性モーメント並びにｘ軸と直交しかつインパクト面と平行な重心位置を通る軸（ｙ軸）まわりの慣性モーメントを増大させ、スイートエリアを拡大している。
【０００３】
一般的なアイアンゴルフクラブヘッドは、図４に示すように、フロントフェース１の正面から見て長手方向一端側は図示しないシャフトが装着されるホーゼル２が設けてあり、ホーゼル２側にヒール部３、長手方向他端側にトウ部４を備え、上下方向の上端位置を占めるトップ部５、地面に接するソール部６を備えている。また、フロントフェース１の中央部にはインパクト面１Ａがある。インパクト面１Ａを含むフロントフェース１はロフト角度をもって傾斜している。
【０００４】
図５は、図４のＡ−Ａ線の切断面を示し、インパクト面１Ａに所定の厚みを残してその背後にキャビティ７を設け、キャビティ７の周囲にはリブ８を設けて周辺重量配分してある。また、符号１０は、バックフェースを示す。この従来例では、トウ部４側とヒール部３側に対しては、リブ８の重量を増加させることが無理なく行うことができるが、上下方向へはソール部６側へ重量配分が偏り、トップ部５には十分な重量配分がなされていなかった。そのため、スイートエリアは長手方向においては拡大するが、上下方向には十分拡大していないものであった。スイートエリアの上下方向幅が狭い場合、特にアベレージゴルファーによるプレイにおいてはスイートエリア内でボールを打つとは限らないので、この範囲の上または下側にはずれた位置でボールをヒットすると、本来、ヘッドのロフト角度によって決まるべきボールの打出し角度と飛距離がまちまちになり、当然のことながらボールのバックスピン量にも影響することとなる。そこで、ｘ軸まわりの慣性モーメントを増大させるため、図６に示すように、トップ部５の頂面５Ａの幅ｍを広めにとってｍ＋と拡大し、それによるトップ部５のリブ８の重量増加を図ることが考えられる。しかし頂面幅が広いと、プレイ時にゴルフクラブをアドレス位置にセットして構えたとき、視野内の中心に広い頂面が占めることによってプレイヤーに不安感を与えてしまう。そこでまた、ｘ軸まわりの慣性モーメント増大の方策として図７に示すようにフロントフェース１の本来の高さｈをｈ＋と高くすることも考えられる。
【０００５】
【発明が解決しようとする課題】
フロントフェース１の高さｈをｈ＋と高くすると、その分クラブヘッドの重量が増大してしまうという不都合があった。
【０００６】
そこで、この発明は、重量の増加を招かず、アドレス時にプレイヤーが不安感を抱くことなく安心して構えられ、しかも上下にもスイートエリアを拡大したゴルフクラブヘッドを有するアイアンゴルフクラブのセットを提供することを目的とする。
【０００７】
【課題を解決するための手段】
上述の目的を達成するため、この発明は、ゴルフクラブヘッドをアドレスしたときに所定のロフト角度をもって傾斜したインパクト面を含むフロントフェースと、このフロントフェースの下縁から後方に延びるとともにヒール部からトウ部に延びたソール部と、フロントフェース上縁から後方に延びたトップ部と、ソール部後縁から上方向に延びたバックフェースと、このバックフェースの中央部に設けられたキャビティと、このキャビティの周囲に設けられたリブとを備えたゴルフクラブヘッドを有するアイアンゴルフクラブのセットにおいて、トップ部頂面から後方にフロントフェースとは逆方向に傾斜し垂直線に対するこの傾斜面が傾斜角度θを形成し、この傾斜面下部にトップ部下部のリブに付加された追加リブを形成したゴルフクラブヘッドを有し、前記傾斜角度θをロフト角度大の番手が大きいショートアイアンクラブ側からロングアイアンクラブの方向に向かって０．３°〜１．８°順次増大するようにしたものである。
【０００８】
【発明の実施の形態】
以下に、この発明の好適な実施例を図面を参照にして説明する。
【０００９】
図１はこの発明の好適な実施例を示す断面図であり、所定のロフト角度をもって傾斜したインパクト面１Ａを含むフロントフェース１を有し、このインパクト面１Ａの厚みｔは通常２．５〜４．０mmである。このフロントフェース１の下縁から後方に延びるとともにヒール部３からトウ部４に延びたソール部６と、フロントフェース１上縁から後方に延びたトップ部５と、ソール部６後縁から上方向に延びたバックフェース１０と、このバックフェース１０の中央部に設けられたキャビティ７と、このキャビティ７の周囲に設けられたリブ８とを備えている。トップ部５の頂面５Ａから後方にフロントフェース１とは逆方向に傾斜した傾斜面９を形成し、この傾斜面９の下部にトップ部５の下部のリブ８に付加された追加リブ８Ａを形成してある。リブ８の厚みは、概ねトップ部５の位置から直線状に又は曲線状に増加し（実施例の場合）、ソール部６で最大となるように形成される。
【００１０】
図２は図１におけるトップ部５の個所の拡大断面を示し、トップ部５の頂面の終端地点Ｐからインパクト面１Ａとは逆方向に傾斜した傾斜面９を形成し、この傾斜面９の下方端からインパクト面１Ａに沿って背面が形成され、この背面の下端がキャビティ７に臨む形状をなしている。その結果、点Ｐを通るインパクト面１Ａと平行な線ｗより後方の符号８Ａで示す部分が追加リブすなわち追加肉厚部を形成している。この図示した実施例におけるトップ部５の頂面５Ａは直線で示しているが、上方に膨らみを持つ曲線で形成しても差し支えない。傾斜面９についても同様に直線以外に前方または後方に向かって膨らみを持つ曲線で形成することもできる。地面に対し垂直な線をｖで示し、この垂直線ｖに対する傾斜面９の傾斜角度をθで示す。
【００１１】
アイアンゴルフクラブセットにおいて各番手の傾斜角度θとともに、傾斜角度θの番手間の差を次表に示す。
なお、傾斜角度θは表１に示す値を中心として＃３〜＃７は±０．５°、＃８，＃９は±０．３°の範囲内において好適に適用できる。
【００１２】
【表１】
0003984318.tif 000002
【００１３】
傾斜角度θの番手間の差は、上記表に示す通りロフト角度大の番手が大きいショートアイアンクラブ側からロングアイアンクラブの方向に向かって０．３°〜１．８°のように順次増大させて設けることが好ましい。なぜなら、アベレージゴルファーにとっては、番手が小さくなるにつれて、クラブの操作が難しくなるからである。従って、すべての番手にわたって本発明を適用せず、クラブセットのうち、例えば＃３〜＃７の範囲に限定して本発明を適用することもできる。なお、ピッチングウェッジ，ピッチングサンド（アプローチウェッジ），サンドウェッジに対しても＃３〜＃９への流れに沿って上記表に示した角度設定の流れに沿って設けることができる。あるいはこれらウェッジについては設けなくてもよい。
【００１４】
図示した実施例では、傾斜面９からインパクト面１Ａと平行な面を設けたが、上方すなわちトップ部５への重量の配分如何によっては、傾斜面９の終端からすぐにキャビティ７が形成されている構造であってもよい。
【００１５】
クラブヘッドの材料は、全体を鉄，特に軟鉄，ステンレス等種々の材料を使用することができ、単一材料のみならず複合材料で構成することもできる。
【００１６】
図５に示す従来例の４番アイアン（比較例）と図１に示す実施例の４番アイアンで比較した結果、次の表のようになった。
【００１７】
【表２】
0003984318.tif 000003
【００１８】
なお、頂面幅ｍは、６mm以下に限定することが好ましく、４〜６mmの範囲内が好適と言える。
【００１９】
【発明の効果】
以上説明したように、この発明によれば、ゴルフクラブヘッドをアドレスしたときに所定のロフト角度をもって傾斜したインパクト面を含むフロントフェースと、このフロントフェースの下縁から後方に延びるとともにヒール部からトウ部に延びたソール部と、フロントフェース上縁から後方に延びたトップ部と、ソール部後縁から上方向に延びたバックフェースと、このバックフェースの中央部に設けられたキャビティと、このキャビティの周囲に設けられたリブとを備えたゴルフクラブヘッドを有するアイアンゴルフクラブのセットにおいて、トップ部頂面から後方にフロントフェースとは逆方向に傾斜し垂直線に対するこの傾斜面が傾斜角度θを形成し、この傾斜面下部にトップ部下部のリブに付加された追加リブを形成したゴルフクラブヘッドを有し、前記傾斜角度θをロフト角度大の番手が大きいショートアイアンクラブ側からロングアイアンクラブの方向に向かって０．３°〜１．８°順次増大するようにしたので、フロントフェースの高さを高くしてヘッド重量の増大を招くことなく、追加リブの存在によりトップ部に重量が配分され、上下方向のスイートエリアが拡大し、慣性モーメントも増大する。また、傾斜面が傾斜しているので、アドレスした時にゴルファーに不安感を与えることもない。
【図面の簡単な説明】
【図１】  この発明の好適な実施例を示す断面図。
【図２】  トップ部の拡大断面図。
【図３】  バックフェース側を示す斜視図。
【図４】  従来例を示す正面図。
【図５】  図４のＡ−Ａ線切断面図。
【図６】  他の従来例を示す図５と同様の切断面図。
【図７】  さらに他の従来例を示す図５と同様の切断面図。
【符号の説明】
１    フロントフェース
１Ａ  インパクト面
３    ヒール部
４    トウ部
５    トップ部
５Ａ  頂面
６    ソール部
７    キャビティ
８    リブ
８Ａ  追加リブ
９    傾斜面
【図１】
0003984318.tif 000004
【図２】
0003984318.tif 000005
【図３】
0003984318.tif 000006
【図４】
0003984318.tif 000007
【図５】
0003984318.tif 000008
【図６】
0003984318.tif 000009
【図７】
0003984318.tif 000010